(57)【要約】【課題】消費者に対してリアルタイムに広告情報を提供し、消費者が商品の購入前に最寄地域内の複数の店舗での最新の価格を知ることができ、又、比較することができるようにする。又、作りたい料理が明らかな場合など、目的とする行為が明らかな場合に、その行為に必要な商品を提示してくれるような仕組みを提供することを目的とする。【解決手段】携帯電話を活用し、購入したい商品情報をメインデータサーバへ送信することにより、最寄店舗内で一番低価格で販売する店舗を検索できる仕組みを提供する。検索対象は、予め登録された価格情報ではなく、店舗側の時間帯セールなどのリアルタイムな価格とする。又、携帯電話より商品の入力処理を効率化するために、商品のバーコードの画像送信や料理を選択することにより、商品を特定する手段を提供する。さらに、実際に店舗内で行った際に購入希望する商品が置いてある位置を参照する機能も提供する。【選択図】図１
2005025684.tif 000002
【特許請求の範囲】
【請求項１】
インターネット経由でユーザの携帯端末からのアクセスを受け付ける商品情報提供システムであって、
各商品の各店舗での価格情報を格納したデータベースと、
携帯端末からの入力情報に基づいて、検索する商品を特定する手段と、
携帯端末からの入力情報に基づいて、検索する地域を特定する手段と、
前記データベースを参照して、前記特定された商品について、前記特定された地域内にある店舗での価格を、検索する手段と、
検索の結果、より低価格で販売している店舗とその価格についての所定数の情報を前記携帯端末に送信して表示させる手段と
を備えることを特徴とする商品情報提供システム。
【請求項２】
インターネット経由でユーザの携帯端末からのアクセスを受け付ける商品情報提供システムであって、
各商品の各店舗での商品位置情報を格納したデータベースと、
携帯端末からの入力情報に基づいて、検索する商品を特定する手段と、
携帯端末からの入力情報に基づいて、検索する店舗を特定する手段と、
前記データベースを参照して、前記特定された店舗内における前記特定された商品の商品位置情報を検索する手段と、
検索の結果、前記特定された店舗内における前記特定された商品の商品位置情報を前記携帯端末に送信して表示させる手段と
を備えることを特徴とする商品情報提供システム。
【請求項３】
請求項２に記載の商品情報提供システムにおいて、
前記店舗を特定する手段は、
携帯端末からの入力情報に基づいて、検索する地域を特定する手段と、
前記特定された地域内に存在する店舗の一覧情報を前記携帯端末に送信して表示させる手段と、
前記店舗の一覧情報から選択された店舗を示す情報を、前記携帯端末から受信する手段と、
受信した店舗を示す情報に基づいて店舗を特定する手段と
を備えることを特徴とする商品情報提供システム。
【請求項４】
請求項２に記載の商品情報提供システムにおいて、
前記商品位置情報は、前記特定された商品が置いてあるフロアーの見取り図と該見取り図内で当該商品が置いてある位置を示す画像を含むことを特徴とする商品情報提供システム。
【請求項５】
インターネット経由でユーザの携帯端末からのアクセスを受け付ける商品情報提供システムであって、
各商品の各店舗での価格情報を格納した第１のデータベースと、
ユーザの目的とする行為に対してその行為に必要な商品の情報を格納した第２のデータベースと、
携帯端末からの入力情報に基づいて、ユーザの目的とする行為を特定する手段と、
携帯端末からの入力情報に基づいて、検索する地域を特定する手段と、
前記第２のデータベースを参照して、前記特定されたユーザの目的とする行為に必要な商品の情報を取得する手段と、
前記第１のデータベースを参照して、前記特定されたユーザの目的とする行為に必要な商品について、前記特定された地域内にある店舗での価格を、検索する手段と、
前記ユーザの目的とする行為に必要な商品の情報、および、前記検索の結果、それらの商品をより低価格で販売している店舗とその価格についての所定数の情報を、前記携帯端末に送信して表示させる手段と
を備えることを特徴とする商品情報提供システム。
【請求項６】
インターネット経由でユーザの携帯端末からのアクセスを受け付ける商品情報提供システムであって、
各商品の各店舗における広告情報を格納した第１のデータベースと、
携帯端末から入力された広告取得登録の指示に基づいて、ユーザが広告情報を取得したい商品と地域を特定する手段と、
ユーザの携帯端末のメールアドレスを取得する手段と、
前記ユーザの広告情報を取得したい商品と地域の情報、および前記ユーザのメールアドレスを、登録する第２のデータベースと、
前記第１のデータベースの広告情報が更新されたとき、所定の広告情報送信指示が与えられたとき、または、定期的な広告情報送信のタイミングに至ったとき、前記第１のデータベース中の更新された広告情報または送信を指示された広告情報について、その広告情報の商品および店舗の地域が、前記第２のデータベースに格納されているユーザの広告情報を取得したい商品と地域に一致しているときには、その広告情報を含むメールを当該ユーザのメールアドレスに送信する手段と
を備えることを特徴とする商品情報提供システム。
【請求項７】
請求項１、２、３、４、または６の何れか１つに記載の商品情報提供システムにおいて、
前記商品を特定する手段は、
前記携帯端末から送られる商品名データまたは商品のバーコードの画像データを受信する手段と、
受信した商品名データまたは商品のバーコードの画像データから、商品を特定する手段と
を備えることを特徴とするリアルタイム商品情報提供システム。
【請求項８】
請求項１、２、３、４、５、または６の何れか１つに記載の商品情報提供システムにおいて、
前記地域を特定する手段は、
前記携帯端末から送られる地域名データまたは前記携帯端末が備えているＧＰＳ機能で取得した位置データを受信する手段と、
受信した地域名データまたは位置データから地域を特定する手段と
を備えることを特徴とするリアルタイム商品情報提供システム。
【発明の詳細な説明】
【技術分野】
【０００１】
本発明は、携帯電話等の携帯端末を活用して、地域内の販売店舗で売られている商品の価格情報などをリアルタイムに提供・検索することができるようにしたシステムに関する。
【背景技術】
【０００２】
消費者が商品を購入するときの代表的な形態として、消費者が商品を置いてある店舗に出向いて商品を直接確認し購入するという形態がある。店舗側では、できるだけ多くの消費者が来店し商品を購入するようにしたいので、折込チラシ等で広告したり、特売セールを行ったりする。ここで、店舗側の問題として、新聞への折込チラシ等を作成し、近辺の住宅へ配布するには、広告費用の負担が大きいという問題がある。又、例えば朝からの販売状況に応じて、広告したい商品はリアルタイムに変わっていくことがあるが、チラシではリアルタイムに内容を変更することができない。売れ残った商品について特売セールを行いたい場合も、リアルタイムに消費者へ通知できない。
【０００３】
一方、消費者側の問題点として以下のようなものがある。まず、消費者としては、複数の店舗のチラシを比較して、購入したい商品の一番安い店舗を探すことが面倒である。又、例えば何かの料理を作成しようと考えた場合、その料理を作成する上でどのような材料が必要かはすぐには分からないので、材料となる必要な複数の商品を選び、それら複数商品の価格が安い店舗を探すことが面倒である。さらに、欲しい商品の時間帯セールの情報をリアルタイムに得ることができない。又、店舗へ行った際に、購入目的の商品がどこに置いてあるかが分からない。
【０００４】
従来の商品購入支援システムとして、例えば特許文献１に記載のシステムおよび方法がある。これは、冷蔵庫等の消費財保管庫に内蔵された在庫管理部とネットワークで接続された発注部を備えており、利用者の入力した料理に必要な商品について消費財保管庫内を検索し、不足する商品を発注する仕組みを可能とするものである。
【特許文献１】特開２００１−１３４７０７号公報（第４−５頁、図１、図３、図６）
【発明の開示】
【発明が解決しようとする課題】
【０００５】
前記特許文献１に記載された商品の発注システムは、商品を特定の業者へ発注する仕組みであり、利用者が店舗に赴き、商品を確認して直接購入したい場合の支援システムではない。又、消費者の視点から見ると、商品の価格が一番低価格である店舗から購入したいという要求を満たせない。各店舗における価格等の比較を行う場合には、複数の店舗を巡回することや、複数の広告チラシから特定の商品を見つけて価格を比較する必要があり、消費者の労力が多大なものであった。
【０００６】
又、店舗側においても、チラシ等の広告宣伝費用の負担が大きかった。チラシは、一度配布してしまうと、後からリアルタイムな修正ができない問題点もあった。例えば、特定の日に所定の商品の販売数が少なかった場合、その日の特定の時間帯にその商品の広告（特売セール）を実施したいと考えても、リアルタイムにその広告情報を消費者へ提供する仕組みがなかった。
【０００７】
本発明は、消費者に対してリアルタイムに広告情報を提供し、消費者が商品の購入前に最寄地域内の複数の店舗での最新の価格を知ることができ、又、比較することができるようにすることを目的とする。又、作りたい料理が明らかな場合など、目的とする行為が明らかな場合に、その行為に必要な商品を提示してくれるような仕組みを提供することを目的とする。
【課題を解決するための手段】
【０００８】
上記目的を達成するため、請求項１に係る発明は、インターネット経由でユーザの携帯端末からのアクセスを受け付ける商品情報提供システムであって、各商品の各店舗での価格情報を格納したデータベースと、携帯端末からの入力情報に基づいて、検索する商品を特定する手段と、携帯端末からの入力情報に基づいて、検索する地域を特定する手段と、前記データベースを参照して、前記特定された商品について、前記特定された地域内にある店舗での価格を、検索する手段と、検索の結果、より低価格で販売している店舗とその価格についての所定数の情報を前記携帯端末に送信して表示させる手段とを備えることを特徴とする。
【０００９】
請求項２に係る発明は、インターネット経由でユーザの携帯端末からのアクセスを受け付ける商品情報提供システムであって、各商品の各店舗での商品位置情報を格納したデータベースと、携帯端末からの入力情報に基づいて、検索する商品を特定する手段と、携帯端末からの入力情報に基づいて、検索する店舗を特定する手段と、前記データベースを参照して、前記特定された店舗内における前記特定された商品の商品位置情報を検索する手段と、検索の結果、前記特定された店舗内における前記特定された商品の商品位置情報を前記携帯端末に送信して表示させる手段とを備えることを特徴とする。
【００１０】
請求項３に係る発明は、請求項２に記載の商品情報提供システムにおいて、
【００１１】
前記店舗を特定する手段は、携帯端末からの入力情報に基づいて、検索する地域を特定する手段と、前記特定された地域内に存在する店舗の一覧情報を前記携帯端末に送信して表示させる手段と、前記店舗の一覧情報から選択された店舗を示す情報を、前記携帯端末から受信する手段と、受信した店舗を示す情報に基づいて店舗を特定する手段とを備えることを特徴とする。
【００１２】
請求項４に係る発明は、請求項２に記載の商品情報提供システムにおいて、前記商品位置情報は、前記特定された商品が置いてあるフロアーの見取り図と該見取り図内で当該商品が置いてある位置を示す画像を含むことを特徴とする。
【００１３】
請求項５に係る発明は、インターネット経由でユーザの携帯端末からのアクセスを受け付ける商品情報提供システムであって、各商品の各店舗での価格情報を格納した第１のデータベースと、ユーザの目的とする行為に対してその行為に必要な商品の情報を格納した第２のデータベースと、携帯端末からの入力情報に基づいて、ユーザの目的とする行為を特定する手段と、携帯端末からの入力情報に基づいて、検索する地域を特定する手段と、前記第２のデータベースを参照して、前記特定されたユーザの目的とする行為に必要な商品の情報を取得する手段と、前記第１のデータベースを参照して、前記特定されたユーザの目的とする行為に必要な商品について、前記特定された地域内にある店舗での価格を、検索する手段と、前記ユーザの目的とする行為に必要な商品の情報、および、前記検索の結果、それらの商品をより低価格で販売している店舗とその価格についての所定数の情報を、前記携帯端末に送信して表示させる手段とを備えることを特徴とする。
【００１４】
請求項６に係る発明は、インターネット経由でユーザの携帯端末からのアクセスを受け付ける商品情報提供システムであって、各商品の各店舗における広告情報を格納した第１のデータベースと、携帯端末から入力された広告取得登録の指示に基づいて、ユーザが広告情報を取得したい商品と地域を特定する手段と、ユーザの携帯端末のメールアドレスを取得する手段と、前記ユーザの広告情報を取得したい商品と地域の情報、および前記ユーザのメールアドレスを、登録する第２のデータベースと、前記第１のデータベースの広告情報が更新されたとき、所定の広告情報送信指示が与えられたとき、または、定期的な広告情報送信のタイミングに至ったとき、前記第１のデータベース中の更新された広告情報または送信を指示された広告情報について、その広告情報の商品および店舗の地域が、前記第２のデータベースに格納されているユーザの広告情報を取得したい商品と地域に一致しているときには、その広告情報を含むメールを当該ユーザのメールアドレスに送信する手段とを備えることを特徴とする。
【００１５】
請求項７に係る発明は、請求項１、２、３、４、または６の何れか１つに記載の商品情報提供システムにおいて、前記商品を特定する手段は、前記携帯端末から送られる商品名データまたは商品のバーコードの画像データを受信する手段と、受信した商品名データまたは商品のバーコードの画像データから、商品を特定する手段とを備えることを特徴とする。
【００１６】
請求項８に係る発明は、請求項１、２、３、４、５、または６の何れか１つに記載の商品情報提供システムにおいて、前記地域を特定する手段は、前記携帯端末から送られる地域名データまたは前記携帯端末が備えているＧＰＳ機能で取得した位置データを受信する手段と、受信した地域名データまたは位置データから地域を特定する手段とを備えることを特徴とする。
【発明の効果】
【００１７】
以上説明したように、本発明によれば、消費者などのユーザに普及率の高い携帯電話などの携帯端末を使って、商品の購入前に最寄地域内の複数の店舗での価格を比較する機能をユーザに提供することができる。又、ユーザが料理名など目的とする行為を特定するだけで、その行為を行うのに必要な複数の商品（例えば、前記料理名に対応する材料や道具など）をどの店舗で一番格安に購入できるかの情報を取得できるようになる。さらに、携帯端末のメール機能を使用して、購入したい商品の時間帯セールなどの広告情報をリアルタイムに取得可能となる。ユーザが店舗へ行った際に、購入したい商品の当該店舗内の位置を携帯端末で手軽に把握することが可能となる。
【００１８】
また店舗側にとっても、サービスプロバイダーへ広告情報（商品の価格・広告）を送付することにより、ユーザに対する電子的な広告活動ができ、チラシ等の広告宣伝費用の削減が可能となる。又、販売状況に応じて、リアルタイムに広告情報（時間帯セール等）を消費者へ通知することが可能となる。
【発明を実施するための最良の形態】
【００１９】
以下、本発明を実施する際の一形態について図面を参照して具体的に説明する。
【００２０】
図１に、本実施形態に係るシステムの概略図を示す。
【００２１】
携帯電話１０１は、ユーザ（消費者など）が使用する携帯端末であり、ネット接続対応機能１１１、位置情報取得機能（GPS：Global Positioning Systems）１１３、画像取得のカメラ（画像撮影）機能１１２、およびメール受信機能１１４を装備している。携帯電話１０１は、インターネット１０２を介して、サービスプロバイダーのメインデータサーバ１０３へ接続することができる。接続後、携帯電話１０１より商品情報の入力や料理名の選択を行うことにより、メインデータサーバ１０３から価格情報など（返信データ）を受信可能である。携帯電話１０１では、商品名の入力の代わりに、商品１０６についているバーコードを撮影し（バーコードがついている商品限定）、その画像をメインデータサーバ１０３へ送信することが可能である。携帯電話１０１は、メインデータサーバ１０３に接続し、ユーザ情報（メールアドレス）、商品情報、および店舗情報を登録することにより、登録した商品や店舗に関する広告情報をメールにて受信可能である。
【００２２】
サービスプロバイダーは、メインデータサーバ１０３とデータベース１０４とを備える。データベース１０４は、店舗情報２０１、商品情報２０２、広告情報２０３、商品位置情報２０４、価格情報２０５、消費者情報３０１、広告通知情報３０２、料理情報３０３、地域情報３０４、および店舗ユーザ情報３０５を格納する。メインデータサーバ１０３は、携帯電話１０１のGPS機能１１３を活用して該携帯電話１０１の位置を検索する機能１３１、携帯電話１０１から送られたバーコードの画像よりバーコード番号を抽出する画像解析機能１３２、メールを一括配信する機能１３３、およびデータベース１０４の情報を更新・検索する機能１３４を備える。メインデータサーバ１０３は、店舗端末１０５より送信される店舗情報、商品情報、および広告情報を受信する機能を装備し、その情報を各種データベースへリアルタイムに更新する。
【００２３】
店舗端末１０５は、店舗から更新する情報（店舗情報、商品情報、価格情報）を定期的にインターネット１０２を介して、メインデータサーバ１０３へ送信する。又、広告情報はリアルタイムに送信する。
【００２４】
上述した携帯電話１０１の各機能は、ハードウエアとしての携帯電話と、該携帯電話内に備えられているソフトウェア（該携帯電話内の処理装置で実行するための各種のプログラム）により実現されるものである。又、上述したメインデータサーバ１０３や店舗端末１０５の各機能は、それぞれ汎用のコンピュータで所定のプログラムを実行することにより実現されるものである。
【００２５】
図２は、サービスプロバイダーの管理データベース１０４の内容例（１）を示す。サービスプロバイダーは、店舗情報２０１、商品情報２０２、広告情報２０３、商品位置情報２０４、および価格情報２０５を、店舗端末１０５より予め受信しデータベース１０４に保存して管理する。これらの情報は、定期的に更新情報を取得して更新されるものである。特に、広告情報２０３は、店舗端末１０５よりリアルタイムに情報を受信して保存するものとする。
【００２６】
店舗情報２０１は、店舗ＩＤ、店舗名、支店名、郵便番号、および住所などの項目からなる。商品情報２０２は、商品ＩＤ、商品名、バーコードＩＤ、商品概要、色、および形などの項目からなる。広告情報２０３は、商品ＩＤ、店舗ＩＤ、開始期間、終了期間、およびキャンペーン価格などの項目からなる。商品位置情報２０４は、商品ＩＤ、店舗ＩＤ、店舗フロアー階、および商品位置画像などの項目からなる。価格情報２０５は、商品ＩＤ、店舗ＩＤ、および価格などの項目からなる。
【００２７】
図３は、サービスプロバイダーの管理データベースの内容例（２）を示す。サービスプロバイダーは、消費者情報３０１、および広告通知情報３０２をユーザの携帯電話１０１から受信して管理する。又、サービスプロバイダーは、独自に料理情報３０３、地域情報３０４、および店舗ユーザ情報３０５を独自に設定する。
【００２８】
消費者情報３０１は、消費者ＩＤ、氏名、住所、およびメールアドレスなどの項目からなる。広告通知情報３０２は、消費者ＩＤ、商品ＩＤ、および地域ＩＤなどの項目からなる。料理情報３０３は、料理ＩＤ、料理名、および商品ＩＤなどの項目からなる。地域情報３０４は、地域ＩＤ、地域名、および隣接地域ＩＤなどの項目からなる。店舗ユーザ情報３０５は、ユーザＩＤ、パスワード、および店舗ＩＤなどの項目からなる。
【００２９】
図４は、ユーザが携帯電話１０１からメインデータサーバ１０３に接続して商品の低価格情報検索を行う手順を示す。商品のバーコードを読み取り当該商品に関して低価格で販売している店舗を探す場合、まずユーザは、ステップ４０１で、予め当該商品のバーコード画像を撮影しておく。商品名を入力して、当該商品に関して低価格で販売している店舗を探す場合は、ステップ４０１は不要である。ステップ４０２において、携帯電話１０１からサービスプロバイダーのメインデータサーバ１０３に接続する。ステップ４０３では、メインデータサーバ１０３からサービスメニューの画面を送り、携帯電話１０１で表示する。
【００３０】
携帯電話１０１のユーザが、当該サービスメニューから「低価格情報検索メニュー」を選択すると、ステップ４０４で、その旨がメインデータサーバ１０３に通知される。メインデータサーバ１０３は、ユーザの「低価格情報検索メニュー」の選択に応じて、ステップ４０５で、商品入力選択画面を携帯電話１０１に送って表示させる。ステップ４０６で、ユーザが商品名を携帯電話１０１から直接入力するか、またはステップ４０１で取得してあるバーコードの画像を送信（画像送信）すると、メインデータサーバ１０３は商品名またはバーコードの画像を取得する。ステップ４０７において、メインデータサーバ１０３は、商品を特定する。携帯電話１０１より商品名が送信された場合は、商品情報２０２を参照して当該商品名の商品を特定する商品ＩＤを取得する。携帯電話１０１よりバーコードの画像が送信された場合は、画像解析機能１３２により画像解析処理を実施しバーコードＩＤを抽出し、商品情報２０２を参照して当該バーコードＩＤに対応する商品ＩＤを取得する。
【００３１】
次に、ステップ４０８で、メインデータサーバ１０３は、検索地域選択画面を携帯電話１０１に送って表示させる。ステップ４０９で、ユーザが地域名を携帯電話１０１から直接入力するか、ＧＰＳ検索するかを選択すると、携帯電話１０１から地域名またはＧＰＳ検索する旨がメインデータサーバ１０３に通知される。ステップ４１０において、メインデータサーバ１０３は地域を特定する。携帯電話１０１より地域名が送信された場合は、地域情報３０４を参照して当該地域名の地域を特定する地域ＩＤを取得する。携帯電話１０１よりＧＰＳ検索する旨が送信された場合は、携帯電話１０１のＧＰＳ機能１１３とメインデータサーバ１０３の位置検索機能１３１とが共働して現在携帯電話１０１がある地域を特定する。
【００３２】
次に、ステップ４１１で、メインデータサーバ１０３は、地域範囲選択画面を携帯電話１０１に送って表示させる。ユーザが該画面で、一意地域で検索するか、隣接地域で検索するかの何れかを選択すると、ステップ４１２において、その選択情報が携帯電話１０１からメインデータサーバ１０３に通知される。一意地域での検索とは、ステップ４１０で特定した地域内のみを検索することを指示するものである。隣接地域での検索とは、ステップ４１０で特定した地域の隣接地域も含めて検索することを指示するものである。この場合、隣接地域情報は、予め地域情報３０４に登録してあるものを参照する。
【００３３】
ステップ４１３で、メインデータサーバ１０３は、ステップ４１０〜４１２で特定された地域および地域範囲内の店舗で、ステップ４０７で特定された商品の商品価格を検索する。各商品の各店舗における価格は価格情報２０５を参照すれば分かる。店舗が、指定された地域および地域範囲内の店舗であるかどうかは、地域情報３０４と店舗情報２０１を参照すれば分かる。ステップ４１４では、ステップ４１３の検索結果から、低価格な店舗と価格情報を、メインデータサーバ１０３から携帯電話１０１に送って表示させる。幾つの店舗を表示するかは任意である。例えば、最も低価格な店舗と価格のみ表示するようにしてもよいし、価格が低い方から順に所定数（複数）だけ店舗と価格を一覧表示してもよい。ユーザは最も低価格ではなくとも現在位置に近い店舗で買い物をしたい場合もある。
【００３４】
以上により、携帯電話１０１を所持するユーザは、指定した商品について、指定した地域の範囲内の店舗で、より低価格に販売している店舗を知ることができる。
【００３５】
図５は、ユーザが携帯電話１０１からメインデータサーバ１０３に接続して、ある店舗内で商品の位置を検索する手順を示す。ステップ５０１から５１０は、図４のステップ４０１から４１０と同様の処理であるので説明を省略する。ただし、ステップ５０４では、携帯電話１０１のユーザがサービスメニューから「商品位置検索メニュー」を選択し、その旨がメインデータサーバ１０３に通知されるものとする。ステップ５０７で特定された商品がユーザが店舗内での位置を知りたい商品であり、ステップ５１０で特定された地域がユーザが検索したい地域（商品の店舗内位置の検索を行いたい店舗がある地域）である。
【００３６】
次にステップ５１１では、ステップ５１０で特定された地域の店舗一覧情報を、メインデータサーバ１０３から携帯電話１０１に送って表示させる。ステップ５１２で、携帯電話１０１のユーザが当該店舗一覧から商品の位置を検索したい店舗（例えば、現在自分が居る店舗など）を選択すると、該選択情報が携帯電話１０１からメインデータサーバ１０３に送られる。ステップ５１３で、メインデータサーバ１０３は、ステップ５１２で選択された店舗内の、ステップ５０７で特定された商品の位置を、検索する。ステップ５１４で、当該商品が置いてあるフロアー階数とそのフロアーの見取り図と当該商品位置の画像を、メインデータサーバ１０３から携帯電話１０１に送って表示させる。
【００３７】
なお、ステップ５１０で特定された地域内の店舗については、地域情報３０４と店舗情報２０１を参照すれば分かる。また、選択された店舗内での商品位置は、商品位置情報２０４を参照すれば分かる。商品位置の画像は、商品位置情報２０４の商品位置画像フィールドに格納されている画像ファイルを用いる。この画像は、フロアーの見取り図を含み、該見取り図内で当該商品が置かれている位置を示す矢印などが記載されている画像である。なお、商品位置画像の代りに、あるいは商品位置画像に加えて、商品の店舗内での位置を示す説明文などを携帯電話に表示するようにしてもよい。
【００３８】
以上により、携帯電話１０１を所持するユーザは、指定した商品が、指定した店舗内のどこに置いてあるかを、見取り図や画像で知ることができる。
【００３９】
図６は、ユーザが携帯電話１０１からメインデータサーバ１０３に接続して、最新の広告が取得できるように登録する手順を示す。ステップ６０１から６１０は、図４のステップ４０１から４１０と同様の処理であるので説明を省略する。ただし、ステップ６０４では、携帯電話１０１のユーザがサービスメニューから「広告取得登録メニュー」を選択し、その旨がメインデータサーバ１０３に通知されるものとする。また、図４ではステップ４１１でメインデータサーバ１０３から携帯電話１０１に地域範囲選択画面を送り、ステップ４１２で該画面で選択された一意地域または隣接地域の情報をメインデータサーバ１０３に返しているが、図６の処理では、ステップ６０９で地域名入力またはＧＰＳ選択を行う際に、同時に、検索する範囲として一意範囲か隣接範囲かを選択させるものとする。ステップ６０７で特定された商品がユーザが広告の取得を希望する商品であり、ステップ５１０で特定された地域範囲がユーザが広告の取得を希望する地域範囲（商品の店舗内位置の検索を行いたい店舗がある地域）である。
【００４０】
次にステップ６１１では、メインデータサーバ１０３から携帯電話１０１に消費者情報入力画面を送って表示させる。ステップ６１２でユーザが該画面で消費者情報を入力すると、ステップ６１３で携帯電話１０１からメインデータサーバ１０３に当該消費者情報が送信される。この消費者情報とは、消費者ＩＤ、氏名、住所、およびメールアドレスなどである。ステップ６１４では、広告配信の登録処理を行う。これは、管理データベース１０４の消費者情報３０１に、当該消費者の消費者情報（ステップ６１２で入力されたもの）を登録し、広告通知情報３０２に、当該消費者の消費者ＩＤと、ステップ６０７で特定された当該ユーザが広告を取得することを希望する商品の商品ＩＤと、ステップ６１０で特定された当該ユーザが広告を取得することを希望する店舗の地域の地域ＩＤとを登録する処理である。
【００４１】
なお、ステップ６０９で指定された地域範囲が一意地域であるときは、ステップ６１０で特定された地域の地域ＩＤが、広告通知情報３０２の地域ＩＤの欄に登録される。ステップ６０９で指定された地域範囲が隣接地域であるときは、ステップ６１０で特定された地域の地域ＩＤのほか、それに隣接する地域の地域ＩＤも、広告通知情報３０２の地域ＩＤの欄に登録される（複数の地域ＩＤが登録される）。
【００４２】
ここではステップ６１２で消費者情報３０１に登録する情報をすべて入力させているが、予めユーザに対して本サービスプロバイダに事前に登録しておいてもらう場合は、その事前登録の際に消費者情報３０１の情報は登録されているから、ステップ６１２では当該ユーザを特定する消費者ＩＤまたはメールアドレスのみを入力すれば足りる。
【００４３】
以上により、携帯電話１０１を所持するユーザは、指定した商品について、指定した地域の範囲内の店舗の広告情報を、リアルタイムに送ってもらうように登録することができる。登録されたユーザに対し、実際に広告情報を送る処理は、図８で説明する。
【００４４】
図７は、ユーザが携帯電話１０１からメインデータサーバ１０３に接続して、料理からその料理に必要な商品を低価格で販売している店舗およびその価格を検索する手順を示す。ステップ７０１で、携帯電話１０１からメインデータサーバ１０３へ接続する。ステップ７０２では、メインデータサーバ１０３からサービスメニューの画面を送り、携帯電話１０１で表示する。携帯電話１０１のユーザが、当該サービスメニューから「料理から検索メニュー」を選択すると、ステップ７０３で、その旨がメインデータサーバ１０３に通知される。メインデータサーバ１０３は、ユーザの「料理から検索メニュー」の選択に応じて、ステップ７０４で、料理一覧表示画面を携帯電話１０１に送って表示させる。ステップ７０５で、ユーザが該料理一覧表示画面で料理を選択すると、メインデータサーバ１０３はその選択情報を取得する。
【００４５】
次に、ステップ７０６でメインデータサーバ１０３から携帯電話１０１に地域範囲選択画面を送り、ステップ７０７でユーザが入力した地域名またはＧＰＳ選択指示と、地域範囲選択情報（一意地域か隣接地域かの別）とを、メインデータサーバ１０３で取得する。ステップ７０９では、ステップ７０５で選択された料理に必要な商品を特定し、それらの商品を低価格で販売している店舗を検索する。料理に必要な商品は、料理情報３０３を参照することで分かる。ステップ７１１で、当該料理に必要な商品を低価格で販売する店舗情報と価格を携帯電話１０１で表示する。
【００４６】
以上により、携帯電話１０１を所持するユーザは、料理一覧から料理を選択するだけで、その料理を作るのに必要な材料（商品）、およびそれらの材料を低価格で販売している店舗とその価格を知ることができる。ここでは料理を作るのに必要な材料を探す例で説明したが、料理以外でも、ユーザの目的とする行為に対して、その行為に必要な商品とそれらを低価格で販売している店舗とその価格を提示してくれるような仕組みに適用することが可能である。
【００４７】
図８は、店舗端末からリアルタイムに広告情報を配信する広告情報送信の手順を示す。ステップ８０１で店舗端末１０５からメインデータサーバ１０３へ接続し、ステップ８０２で店舗ユーザ認証を行う。これは店舗端末１０５からのアクセスのユーザ認証を確認する処理であり、具体的には、店舗端末１０５からユーザＩＤと店舗ＩＤとパスワードを入力させ、それらが店舗ユーザ情報３０５に登録されているかを確認する処理である。
【００４８】
ステップ８０３で、メインデータサーバ１０３から、商品情報、店舗情報、または広告情報のどの情報を更新・送信するかの店舗用メニューを店舗端末１０５に送信して表示させる。ステップ８０４で、店舗端末１０５から送信される情報をメインデータサーバ１０３で受信する。この情報は、商品情報、店舗情報、または広告情報のどの情報を更新するかを示す情報と、更新するそれらの情報そのものである。ステップ８０５で、メインデータサーバ１０３は、店舗端末１０５から送られてきた情報に基づいてデータベースの更新処理を行う。具体的には、商品情報の更新が指示されたときは商品情報２０２について、店舗情報の更新が指示されたときは店舗情報２０１について、広告情報の更新が指示されたときは広告情報２０３について、それぞれ与えられた情報に更新する。商品情報や店舗情報の更新では、ここで処理終了する。
【００４９】
広告情報２０３が更新されたときは、その更新された広告情報をリアルタイムに携帯電話１０１のユーザに知らせるため、ステップ８０６以降の処理を行う。まずステップ８０６で、図６の処理によりユーザが予め広告取得登録した商品ＩＤおよび地域ＩＤ（すなわち広告通知情報３０２に登録されている商品ＩＤおよび地域ＩＤ）と、ステップ８０５で更新された広告情報２０３の商品ＩＤおよび店舗ＩＤに対応する地域ＩＤとを比較する。広告情報２０３の店舗ＩＤに対応する地域ＩＤは、店舗情報２０１と地域情報３０４を参照することにより分かる。ユーザが広告取得登録している商品ＩＤおよび地域ＩＤと、ステップ８０５で更新された広告情報２０３の商品ＩＤおよび店舗ＩＤに対応する地域ＩＤとが、一致しているものについては、ステップ８０７で、当該商品ＩＤについての広告取得を希望しているユーザへ、更新された広告情報を、リアルタイムに携帯メールにて送信する。ステップ８０８で、携帯電話１０１で当該広告情報を受信し表示する。
【００５０】
なお、ここでは広告情報が更新されたタイミングでユーザにその広告情報をメールしているが、例えば、店舗端末１０５またはメインデータサーバ１０３において所定の広告情報送信指示の操作が為されたタイミングで、また広告情報送信を指示された広告情報について、ユーザにメールするようにしてもよい。さらに、午前１０時や午後４時などの時間を決めて、あるいは６時間毎や１日ごとというように、定期的な広告情報送信のタイミングを決めておき、そのタイミングに至ったときに広告情報をユーザにメールするようにしてもよい。
【００５１】
以上により、図６の処理により広告取得登録がされたユーザに対し、メールにより、リアルタイムに更新された広告情報を送ることができる。
【図面の簡単な説明】
【００５２】
【図１】本実施形態に係るシステムの概略図
【図２】サービスプロバイダーの管理データベースの内容例（１）を示す図
【図３】サービスプロバイダーの管理データベースの内容例（２）を示す図
【図４】低価格情報検索の手順を示す図
【図５】店舗内の商品位置検索の手順を示す図
【図６】広告取得登録の手順を示す図
【図７】料理に使用する商品の低価格情報検索の手順を示す図
【図８】広告情報送信の手順を示す図
【符号の説明】
【００５３】
１０１…携帯電話、１０２…インターネット、１０３…メインデータサーバ、１０４…データベース、１０５…店舗端末、１０６…商品、１１１…ネット接続機能、１１２…画像撮影機能、１１３…ＧＰＳ機能、１１４…メール受信機能、１３１…携帯電話の位置検索機能、１３２…画像解析機能、１３３…メール配信機能、１３４…データベース更新・検索機能、２０１…店舗情報、２０２…商品情報、２０３…広告情報、２０４…商品位置情報、２０５…価格情報、３０１…消費者情報、３０２…広告通知情報、３０３…料理情報、３０４…地域情報、３０５…店舗ユーザ情報。
【図１】
2005025684.tif 000003
【図２】
2005025684.tif 000004
【図３】
2005025684.tif 000005
【図４】
2005025684.tif 000006
【図５】
2005025684.tif 000007
【図６】
2005025684.tif 000008
【図７】
2005025684.tif 000009
【図８】
2005025684.tif 000010